(57)【要約】【課題】特定の人物に対して実際に撮影したことを確認する作業を容易とすること。【解決手段】顔識別部３１が被写体画像データ中の被写体人物が顔登録データ記憶部３２に登録されている登録人物であることを識別すると、画像記録部１６は、その被写体画像データと被写体人物を特定するＩＤ情報とを関連付けてメモリ１６ａに記録する。画像読出し部２０によって登録人物を指定して該当する被写体画像データをメモリ１６ａから読み出すと、カウント部３３は、その登録人物について読み出された被写体画像データの枚数、すなわち撮影枚数をカウントし、ディスプレイ４２は、登録人物毎に撮影枚数を表示する。【選択図】図１
2012015912.tif 000002
【特許請求の範囲】
【請求項１】
被写体を撮像し、被写体画像データを出力する撮像手段と、
前記被写体画像データに基づき被写体人物に関する特徴情報を特徴登録データとして記憶する特徴登録データ記憶手段と、
被写体画像データ中の被写体人物の特徴が前記特徴登録データ記憶手段の前記特徴登録データに対応することを認識すると、識別信号を出力する識別手段と、
前記識別信号に基づき前記被写体画像データと前記被写体人物を特定する所定のＩＤ情報とを関連付けて記憶する記録手段と、
前記記録手段から前記所定のＩＤ情報を有する被写体画像データを読み出す読出し手段と、
前記所定のＩＤ情報を有する被写体画像データの撮影枚数をカウントするカウント手段と、
前記所定のＩＤ情報を有する前記被写体画像データの撮影枚数を表示する表示手段と、を備えることを特徴とする電子機器。
【請求項２】
請求項１に記載の電子機器において、
前記特徴情報は、前記被写体画像データ中の被写体人物の顔に関する特徴情報であり、
前記識別手段は、被写体画像データ中の被写体人物の顔画像データが前記特徴登録データに対応することを認識することを特徴とする電子機器。
【請求項３】
請求項２に記載の電子機器において、
前記所定のＩＤ情報に関連付けられた複数の前記被写体画像データに対して、その撮影状態に関する複数のファクターに基づいて評価を行い、段階的な評価結果を生成する評価手段を更に備え、
前記表示手段は、特定の被写体人物毎に、前記段階的な評価結果毎の前記被写体画像データの撮影枚数を表示することを特徴とする電子機器。
【請求項４】
請求項３に記載の電子機器において、
前記評価手段は、前記被写体画像データ中の被写体人物の顔画像データについて、前記ファクターとして顔の大きさ、向き、笑顔の度合い、目瞑りの状態、赤目現象の発生の状態、顔に対する合焦状態、顔における露出状態をそれぞれ評価することによって前記段階的な評価結果を生成することを特徴とする電子機器。
【請求項５】
請求項１〜４のいずれか1項に記載の電子機器において、
前記記録手段は、前記被写体画像データを記録する際に、それの撮影日時情報を記録し、
前記表示手段は、前記撮影日時情報に基づき所定の撮影日時間隔毎に区分して、前記被写体画像データの撮影枚数を表示することを特徴とする電子機器。
【請求項６】
請求項１〜５のいずれか1項に記載の電子機器において、
前記表示手段は、前記被写体画像データの撮影枚数がグラフ化されたものを表示することを特徴とする電子機器。
【請求項７】
請求項１又は２に記載の電子機器において、
人物事前登録モードを有し、
前記人物事前登録モードは、前記撮像手段によって撮影された被写体人物に関する特徴情報を特徴登録データとして前記特徴登録データ記憶手段に記憶し、
前記識別手段は、被写体画像データ中の被写体人物の特徴が、前記人物事前登録モードにおいて前記特徴登録データ記憶手段に登録された前記特徴登録データに対応することを認識することを特徴とする電子機器。
【発明の詳細な説明】
【技術分野】
【０００１】
本発明は、撮影手段で撮影した枚数をカウントする機能を有する電子機器に関する。
【背景技術】
【０００２】
従来、デジタルカメラは、近年、撮影画像を記録するメモリーカードの容量が増大し、撮影可能枚数が非常に多くなり、数百枚も撮影することができるようになっている。このため、例えば結婚披露宴やその他のパーティなどのように参加者が多数いて、それらの参加者の全員を撮影することが望まれる場合であっても、そのデジタルカメラの撮影可能枚数を余り気にすることなく、多数の撮影をすることができる。
また、デジタルカメラは、撮影した枚数やこれから撮影可能な枚数（残存枚数）を表示するので、この表示を確認しながら、所望の人物を計画的に撮影することができる。
【発明の概要】
【発明が解決しようとする課題】
【０００３】
ところが、従来のデジタルカメラは、上述のように、これまでに何枚撮影したかは知ることができるが、パーティなどの出席者の誰を何枚撮影したかは、知ることができない。そのため、例えば、撮影者は、パーティなどの参加者の全員を撮影したか、又は、特定の人物を何枚撮影したかなどを確認するためには、例えば全撮影画像を再生してサムネイル表示等を行って、確認しなければならず、非常に面倒な作業であった。
【課題を解決するための手段】
【０００４】
（１）請求項１の発明による電子機器は、被写体を撮像し、被写体画像データを出力する撮像手段と、被写体画像データに基づき被写体人物に関する特徴情報を特徴登録データとして記憶する特徴登録データ記憶手段と、被写体画像データ中の被写体人物の特徴が特徴登録データ記憶手段の特徴登録データに対応することを認識すると、識別信号を出力する識別手段と、識別信号に基づき被写体画像データと被写体人物を特定する所定のＩＤ情報とを関連付けて記憶する記録手段と、記録手段から所定のＩＤ情報を有する被写体画像データを読み出す読出し手段と、所定のＩＤ情報を有する被写体画像データの撮影枚数をカウントするカウント手段と、所定のＩＤ情報を有する被写体画像データの撮影枚数を表示する表示手段と、を備えることを特徴とする。
【発明の効果】
【０００５】
本発明の電子機器によれば、人物毎に撮影枚数を表示するので、特定の人物に対して撮影を忘れたり、撮影枚数が少な過ぎたという失敗を回避することができる。
【図面の簡単な説明】
【０００６】
【図１】本発明の実施の形態に係るデジタルカメラの構成を示すブロック図である。
【図２】デジタルカメラ１のディスプレイ４２の表示画面を模式的に示す図であり、登録人物毎の撮影枚数を表示する。
【図３】デジタルカメラ１のディスプレイ４２の表示画面を模式的に示す図であり、登録人物のランク毎の撮影枚数を表示する。
【図４】デジタルカメラ１のディスプレイ４２の表示画面を模式的に示す図であり、登録人物のランク毎、撮影時間毎の撮影枚数を表示する。
【図５】デジタルカメラ１のディスプレイ４２の表示画面を模式的に示す図であり、登録人物のランク毎の撮影枚数を示す棒グラフを表示する。
【発明を実施するための形態】
【０００７】
以下、本発明の実施の形態による電子機器としてデジタルカメラについて、図面を参照しながら説明する。
図１は、本発明の実施の形態によるデジタルカメラの構成を示すブロック図である。
図１に示されるように、デジタルカメラは、撮影レンズ１１、絞り１２、撮像素子１３、バッファメモリ１４および画像処理部１５を備える。また、デジタルカメラは、画像記録部１６、ＣＰＵ（Ｃｅｎｔｒａｌ  Ｐｒｏｃｅｓｓｉｎｇ  Ｕｎｉｔ）１７、ＲＯＭ（Ｒｅａｄ  Ｏｎｌｙ  Ｍｅｍｏｒｙ）１８、バス１９、画像読出し部２０、人物登録モード設定部４０、表示制御部４１およびディスプレイ４２を備える。
【０００８】
画像処理部１５、画像記録部１６、ＣＰＵ１７、ＲＯＭ１８、画像読出し部２０、人物登録モード設定部４０および表示制御部４１は、バス１９を介して互いに接続されている。
【０００９】
ＣＰＵ１７は、評価部３０、顔識別部３１およびカウント部３３として機能する。評価部３０は、顔検出部２１、笑顔レベル検出部２３、目検出部２５および画像解析部２７を有する。また、ＣＰＵ１７は、撮影手段である撮影レンズ１１、絞り１２、撮像素子１３を制御する。
【００１０】
ＲＯＭ１８は、顔データ記憶部２２、笑顔レベルデータ記憶部２４、目データ記憶部２６、画像データ記憶部２８および顔登録データ記憶部３２として機能する。
【００１１】
撮影レンズ１１は、ズームレンズやフォーカスレンズを含む複数のレンズで構成され、被写体像を撮像素子１３上に結像する。図１では簡単のため、撮影レンズ１１は１枚のレンズで示されている。撮像素子１３は、撮影レンズ１１からの被写体光Ｌ１を光電変換することにより画像信号を生成する。
【００１２】
撮像素子１３から出力される画像信号は、バッファメモリ１４を介して画像処理部１５に送られ、ここで所定の種々の画像処理が施される。撮影開始前の段階では、撮像素子１３からの画像信号は、バッファメモリ１４、画像処理部１５を経てバス１９を介してディスプレイ４２に送られ、スルー画像として表示される。撮影段階では、撮像素子１３からの画像信号は、バッファメモリ１４、画像処理部１５を経てバス１９を介して画像記録部１６にて記録される。
【００１３】
画像記録部１６は、画像データとその画像データに関する属性データ（例えば、被写体人物のＩＤ情報、撮影日時、撮影場所）とを関連付けて不揮発性のメモリ（記憶媒体）１６ａに記録する。ＩＤ情報は、デジタルカメラの不図示の操作パネルから入力する。画像データには、撮像素子１３からの被写体画像データや、外部機器から画像記録部１６に入力された被写体画像データが含まれる。
【００１４】
画像読出し部２０は、画像記録部１６のメモリ１６ａに記録されている画像データの検索や、属性データに基づいて画像の検索、読出しを行う操作部である。
【００１５】
顔検出部２１は、撮影が行われ、バッファメモリ１５に一時保存されている撮影画像データの中の被写体人物の顔領域の画像データを、顔データ記憶部２２に予め記憶されている顔データと比較することにより、画像データ中の被写体人物の顔画像を検出し、更に、顔の大きさ、顔の向きをも検出し、顔の大きさ、顔の向きに応じた顔検出信号を出力する。顔データ記憶部２２は、例えば、眉、眼、鼻、唇の形状に関する特徴点のデータを記憶している。
【００１６】
顔検出には、例えば、特開２００１−１６５７３号公報に開示されている検出手法を用いることができる。この検出手法は、入力画像中から特徴点を抽出して被写体の顔領域、顔の大きさ等を検出するものである。特徴点としては、眉、眼、鼻、唇の各端点、および顔の輪郭点、例えば頭頂点や顎の下端点が挙げられる。
【００１７】
他の顔検出としては、例えば、特開２００５−１５７６７９号公報に開示されている検出手法を用いることができる。この検出手法は、先ず、入力画像中の２画素間の輝度差を特徴量として学習しておき、その特徴量に基づいて入力画像中の所定領域に顔が存在するか否かを示す推定値を算出し、推定値が１以上のときにその所定領域に顔が存在すると判別するものである。
【００１８】
笑顔レベル検出部２３は、顔検出部２１により検出された顔画像中の被写体人物の笑顔の度合い（笑顔レベル）を笑顔レベルデータ記憶部２４に予め記憶されている複数の笑顔レベルデータと比較することにより、顔画像中の被写体人物の笑顔がいずれの笑顔レベルに対応するかを検出する。笑顔レベルとしては、例えば、大笑いと中笑いの２段階がある。笑顔レベルデータ記憶部２４は、これらの笑顔レベル毎にデータを記憶している。
笑顔レベル検出部２３は、被写体人物の笑顔レベルを検出し、その笑顔レベル値に対応する笑顔レベル値信号を出力する。
【００１９】
笑顔レベル検出部２３が笑顔レベルを判定する場合には、例えば、特開２００４−４６５９１号公報に開示されている手法を用いることができる。この判定手法は、入力された部分画像の笑顔について笑顔の度合いの評価を行い、笑顔評価値を算出する。笑顔評価の際は、予め記憶されている笑顔データを参照して眉、瞳孔、唇の各要素の形状の評価ポイントを算出し、各評価ポイントを係数により重み付けした上で合算した値を笑顔評価値としている。
【００２０】
目検出部２５は、顔検出部２１により検出された顔画像中の目の部分画像を目データ記憶部２６に予め記憶されている目データと比較することにより、被写体人物の目の開閉状態を検出する。例えば、目検出部２５は、被写体人物の目が閉じていることを検出すると、目つぶり検出信号を出力する。
【００２１】
眼の開閉検出としては、例えば、特開２０００−３４７２７７号公報に開示されている検出手法を用いることができる。この検出手法は、眼の白色部分の面積を算出し、その面積の大小によって眼が開いているか閉じているかを検出するものである。
【００２２】
また、目検出部２５は、顔検出部２１により検出された顔画像中の被写体人物の目に赤目現象が発生しているか否かを検出する。赤目現象は、フラッシュ撮影を行った場合に、フラッシュ光が目の網膜で反射し、その反射光が撮影画像の中で赤く写ってしまう現象である。目検出部２５は、赤目を検出すると、赤目検出信号を出力する。
【００２３】
画像解析部２７は、顔検出部２１により検出された顔画像中で被写体人物の顔に焦点が合っているか否かを画像データ記憶部２８の合焦許容範囲データに基づいて判定し、合否の判定信号を出力する。また、画像解析部２７は、その顔画像中で被写体人物の顔の明るさが基準範囲内に入っているか否かを画像データ記憶部２８の露出許容範囲データに基づいて判定し、合否の判定信号を出力する。
【００２４】
顔識別部３１は、バッファメモリ１５に一時保存されている撮影画像データの中の被写体人物の顔画像データを顔登録データ記憶部３２に記録されている個々人の顔画像の登録データと照合する。
顔登録データ記憶部３２は、人物の顔の特徴に関する顔情報である顔登録データと、その人物を表すＩＤ情報とを関連付けて記憶している。このＩＤ情報とは、人物の名前、イニシャル、ニックネーム、符号などである。顔登録データ記憶部３２には、複数の人物について、その人物を特定する情報とともに顔登録データが登録されている。
顔識別部３１は、被写体人物の顔画像データが顔登録データに対応することを認識すると、識別信号を出力する。
【００２５】
画像記録部１６は、上述した顔検出信号、笑顔レベル値信号、目つぶり検出信号、赤目検出信号および判定信号に基づく顔画像評価データを属性データとしてその顔認識された被写体人物を特定するＩＤ情報とともに記録し、これらの属性データを被写体画像データに関連付けてメモリ１６ａに記録する。例えば、その被写体人物が、顔登録データ記憶部３２に記録されている名前Ｘの人物であると識別された場合は、ＩＤ情報として名前Ｘが用いられ、名前Ｘの人物の被写体画像毎に顔画像評価データが記録される。
【００２６】
カウント部３３は、上述したＩＤ情報に基づいて画像読出し部２０によりメモリ１６ａから読み出された被写体画像データの枚数、すなわち撮影枚数をカウントする。このように、カウント部３３は、所定の被写体人物について何枚撮影されているかという撮影枚数をカウントする。
なお、カウント部３３は、ＩＤ情報に基づいて所定の被写体人物の画像データが何枚メモリ１６ａに記録されているかをカウントするようにして、被写体人物毎の撮影枚数をカウントしてもよい。
【００２７】
人物登録モード設定部４０は、被写体画像データ中の被写体人物に関する顔の特徴情報を顔登録データ記憶部３２に登録する「顔登録モード」を動作させる操作部である。顔登録モードでは、人物の顔画像に関する顔特徴情報を顔登録データとしてその人物と関連付けて顔登録データ記憶部３２に記憶する。この登録作業は、例えば、通常の撮影動作に先立って所定の被写体人物を撮影することによって行われる。この撮影は、顔登録モード時に、ディスプレイ４２の画面に表示される所定のガイド枠に、被写体人物のスルー画像の目や口を合わせて行う。こうして顔登録撮影された被写体画像データに基づきその人物の特徴量が算出され、その特徴量がその人物のＩＤ情報とともに顔登録データとして顔登録データ記憶部３２に記憶される。
【００２８】
表示制御部４１は、ディスプレイ４２による表示を制御する。すなわち、表示制御部４１は、ディスプレイ４２がスルー画像の表示、バッファメモリ１４に一時的に記録されている撮影画像の表示、画像記録部１６のメモリ１６ａに保存された被写体画像の再生表示を行なう時の表示態様を制御する。また、表示制御部４１は、ディスプレイ４２に、被写体画像データに関連する属性データを表示させ、登録された人物の顔画像や登録人物毎の被写体画像撮影枚数を表示させる。さらに、表示制御部４１は、ディスプレイ４２に、登録人物の顔画像評価データを基に演算処理した結果（例えば、グラフ）を表示させる。
【００２９】
ディスプレイ４２は、スルー画像の表示、バッファメモリ１４に一時的に記録されている被写体画像の表示、メモリ１６ａに保存された被写体画像の表示を行う。また、ディスプレイ４２は、表示制御部４１の指令により、上記の属性データ、被写体画像撮影枚数などの情報の表示や、演算処理結果（例えば、グラフ）の表示などを行う。
【００３０】
以上のように構成されたデジタルカメラは、次のように動作する。
先ず、人物登録モード設定部４０によって顔登録モードをＯＮ設定し、被写体人物の顔画像に関する顔特徴情報を顔登録データとして顔登録データ記憶部３２に登録する。
このようにして顔登録データ記憶部３２に登録された登録人物Ｘ，Ｙ，Ｚについて、図２〜５を参照しながら説明する。
【００３１】
レリーズ動作が行われると、撮影された撮影画像データはバッファメモリ１５に一時保存され、顔識別部３１は、その撮影画像データの中の被写体人物の顔領域の画像データを顔登録データ記憶部３２に記録されている個々人の顔画像の登録データと照合する。顔識別部３１は、その顔領域の画像データが顔登録データに対応するか否かを検出し、その被写体人物がＩＤ情報Ｘの登録人物に対応することを認識すると、ＩＤ情報Ｘの登録人物である旨の識別信号を出力する。更にレリーズ動作が繰り返し行われた場合も同様に、顔識別部３１は、被写体人物が登録人物Ｘ、ＹまたはＺに対応することを認識すると、その旨の識別信号をそれぞれ出力する。
【００３２】
画像記録部１６は、これらの識別信号に基づき、撮影された画像データの属性データとして被写体人物のＩＤ情報、ここでは名前Ｘ、ＹまたはＺを付記し、その属性データを被写体画像データと関連付けてメモリ１６ａに記録する。
【００３３】
次に、デジタルカメラを再生モードとし、画像読出し部２０を操作して画像記録部１６のメモリ１６ａに記録されている被写体画像データを属性データに基づいて検索、読出しを行う。登録人物Ｘ、ＹおよびＺを指定すると、画像読出し部２０により登録人物のＩＤ情報が検索され、該当する被写体画像データが読み出される。カウント部３３は、登録人物Ｘ、ＹおよびＺのそれぞれについて読み出された被写体画像データの枚数、すなわち撮影枚数をカウントする。
【００３４】
ディスプレイ４２は、表示制御部４１の制御により、図２に示されるような表示を行う。図２は、デジタルカメラ１のディスプレイ４２の表示画面を模式的に示す図である。表示画面には、登録人物Ｘ、ＹおよびＺの顔画像１０１，１０２，１０３が表示され、撮影枚数表示エリア１１０に各登録人物の被写体画像撮影枚数が表示されている。すなわち、登録人物Ｘの撮影枚数は６枚、登録人物Ｙの撮影枚数は２枚、登録人物Ｚの撮影枚数は７枚であることが表示されている。表示画面を一見すれば、各登録人物の撮影枚数を容易に知ることができる。
【００３５】
なお、図２では、登録人物認識のために、顔画像１０１，１０２，１０３を用いたが、登録人物Ｘ、ＹおよびＺを特定できるものであれば、画像に限ることなく、文字やマークなどを用いてもよい。また、顔画像１０１，１０２，１０３は、顔登録モードで撮影され、顔登録データ記憶部３２の顔登録データ中のものを用いる。更に、顔画像１０１，１０２，１０３は、メモリ１６ａに保存されている被写体画像データ中のサムネイル画像を用いてもよい。
【００３６】
上述したように、本実施の形態によるデジタルカメラによれば、メモリ１６ａに記録されている被写体画像データの撮影枚数を登録人物毎にカウントし、ディスプレイ４２に表示するので、特定の人物に対して撮影を忘れたり、撮影枚数が少な過ぎたという失敗を回避することができる。また、被写体画像を逐一再生表示させる必要もなくなるので、短時間での枚数確認が可能となる。
【００３７】
本実施の形態によるデジタルカメラは、登録人物毎に被写体画像の撮影枚数を表示するだけではなく、被写体人物の撮影状態に関するファクターに基づいてその被写体画像に対して段階的な評価を行い、特定の被写体人物毎に、評価段階毎の被写体画像の撮影枚数を表示することが可能である。
ファクターとしては、撮影画像中の被写体人物に関する(1)顔の大きさと向き、(2)笑顔の度合い、(3)目の開閉状態、(4)赤目現象の発生の状態、(5)顔に対する合焦状態、(6)顔における露出状態の６項目があり、これらの各ファクターは評価部３０によって評価される。
【００３８】
以下、評価部３０による各ファクターの評価について詳述する。
顔の大きさと向きは、顔検出部２１が評価し、撮影画面内で被写体人物の顔が占める面積が５〜３０％の許容範囲に入っていれば＋１点、許容範囲外であれば０点とする。また、顔の角度が正面向きから真横向きまでの許容範囲に入っていれば＋１点、許容範囲外であれば０点とする。顔検出部２１は、顔の面積と顔の角度について＋１点または０点を表す顔検出信号を出力する。
【００３９】
笑顔の度合いは、笑顔レベル検出部２３が評価し、笑顔レベル検出部２３は、被写体人物の顔画像データを笑顔レベルデータ記憶部２５の笑顔レベルデータと比較することにより、被写体人物の笑顔がいずれの笑顔レベル値に対応するかを検出する。例えば、笑顔レベルとして大笑いと中笑いの２段階がある場合、大笑いは＋２点、中笑いは＋１点とする。ある程度以上の笑顔が検出されなければ０点である。笑顔レベル検出部２３は、＋２点、＋１点、または０点を表す笑顔レベル値信号を出力する。
【００４０】
目の開閉状態は、目検出部２５が評価し、被写体人物の顔画像中の目の部分画像データを目データ記憶部２６に予め記憶されている目データと比較することにより、被写体人物の目の開閉状態を検出する。被写体人物の目が開いている場合は＋１点とし、閉じている場合は０点とする。目検出部２５は、＋１点または０点を表す目開閉検出信号を出力する。
赤目現象の発生の状態も、目検出部２５が評価し、赤目現象が観察されなければ＋１点とし、観察されると０点とする。目検出部２５は、＋１点または０点を表す赤目検出信号を出力する。
【００４１】
顔に対する合焦状態は、画像解析部２７が評価し、被写体人物の顔画像中の顔部分に焦点が合っているか否かを画像データ記憶部２８の合焦許容範囲データに基づいて判定し、許容範囲内であれば＋１点、許容範囲外であれば０点とする。
顔における露出状態も、画像解析部２７が評価し、被写体人物の顔画像中の顔部分の明るさが基準範囲内に入っているか否かを画像データ記憶部２８の露出許容範囲データに基づいて判定し、許容範囲内であれば＋１点、許容範囲外であれば０点とする。
画像解析部２７は、合焦状態と露出状態のそれぞれについて、＋１点または０点を表す判定信号を出力する。
【００４２】
評価部３０は、これらのファクターについて総合評価を行う。上述したように、ファクター毎に点数を付けることができるので、客観的な評価が可能である。総合評価の算出には様々あるが、例えば、上記の６項目のファクターの点数を単に加算してもよいし、ファクターに応じて重み付けをした上で加算してもよい。総合評価としては、総合点とランクを用いることができるが、ここではランクを使用する。例えば、Ａ，Ｂ，Ｃの３つのランクを設け、Ａ，Ｂ，Ｃの順に評価を高くする。
このようにして、被写体画像データ毎にランクが付けられ、総合評価データは、その被写体画像データに関連付けられた属性データとしてメモリ１６ａに記録される。
【００４３】
デジタルカメラを再生モードとし、画像読出し部２０を操作して画像記録部１６のメモリ１６ａに記録されている被写体画像データを属性データに基づいて検索、読出しを行う。
登録人物Ｘ、ＹおよびＺを指定すると、画像読出し部２０により登録人物Ｘ、ＹおよびＺの名前が検索され、該当する被写体画像データが読み出される。カウント部３３は、登録人物Ｘ、ＹおよびＺのそれぞれについて読み出された被写体画像データの数、すなわち撮影枚数をＡ，Ｂ，Ｃのランク毎にカウントする。
【００４４】
ディスプレイ４２には、表示制御部４１の制御により、図３〜５に示されるような画面表示が行われる。
図３〜５は、デジタルカメラ１のディスプレイ４２の表示画面を模式的に示す図であり、図２と共通する表示については説明を省略する。
【００４５】
図３には、登録人物Ｘ、ＹおよびＺのランク毎の撮影枚数が撮影枚数表示エリア１１１に表示されている。撮影枚数表示エリア１１１の符号Ａ，Ｂ，Ｃは総合評価のランクを示す。例えば、登録人物ＸのＡランクの撮影枚数は４枚、Ｂランクの撮影枚数は２枚、Ｃランクの撮影枚数は０枚である。登録人物Ｙ、Ｚについても同様である。
【００４６】
このように、登録人物毎に、且つ、ランク別に被写体画像データの撮影枚数をカウントし、ディスプレイ４２に表示するので、高ランクの被写体画像データの枚数が少ない人物（図３では、登録人物Ｙ）を容易に知ることができ、その人物を優先的に撮影すべきであるとの指針が得られる。
【００４７】
図４には、登録人物Ｘ、ＹおよびＺのランク毎、撮影時間毎の撮影枚数が撮影枚数表示エリア１２１に表示されている。撮影枚数表示エリア１２１の符号Ａ，Ｂ，Ｃは、図３と同じく総合評価のランクを示す。時刻表示エリア１１２には、被写体画像データが取得された時刻が表示されており、この撮影時刻は、属性データ中の撮影日時のデータに基づくものである。
【００４８】
例えば、１３：００〜１４：００の時間帯で、登録人物ＸのＡランクの撮影枚数は２枚、Ｂランクの撮影枚数は１枚、Ｃランクの撮影枚数は０枚である。登録人物Ｙ、Ｚについても同様である。
会場の雰囲気が時間とともに変わってゆく披露宴などのイベントでは、図４のディスプレイ画面のように、登録人物Ｘ、ＹおよびＺの現時点でのランク別撮影枚数を表示することにより、今後どの人物を優先的に撮影すべきかが容易に分かる。
【００４９】
図５には、登録人物Ｘ、ＹおよびＺのランク毎の撮影枚数を示す棒グラフがグラフ表示エリア１３１に表示されている。図中、１１３は、撮影枚数を示す目盛である。１１４は、残りの撮影可能枚数（残存メモリ容量）表示エリアであり、残りの撮影可能枚数は、バー１１４ａの長さと数字（５５）で表されている。
【００５０】
以上の説明では、顔検出部２１、笑顔レベル検出部２３、目検出部２５および画像解析部２７が被写体画像データの各ファクターについて行う評価は、２段階または３段階のシンプルなものであったが、評価段階をさらに細分化して評価点を付けてもよい。また、評価部３０が行う総合評価もＡ，Ｂ，Ｃの３ランクに限らず、さらにランクを細分化してもよい。
【００５１】
また、メモリ１６ａに保存する属性情報の一つであるＩＤ情報は、デジタルカメラの不図示の操作パネルから入力するが、このように入力されたＩＤ情報は、顔登録データ記憶部３２に記憶する人物特定情報としても用いることができる。
【００５２】
本実施の形態では、デジタルカメラについて説明したが、ビデオカメラ、携帯電話などの撮影機能を有する電子機器についても本発明は適用される。本発明は、その特徴を損なわない限り、以上説明した実施の形態に何ら限定されない。
【符号の説明】
【００５３】
１：デジタルカメラ                  １６：画像記録部
１６ａ：メモリ                        ２０：画像読出し部
２１：顔検出部                        ２２：顔データ記憶部
２３：笑顔レベル検出部                ２４：笑顔レベルデータ記憶部
２５：目検出部                        ２６：目データ記憶部
２７：画像解析部                      ２８：画像データ記憶部
３０：評価部                          ３１：顔識別部
３２：顔登録データ記憶部              ３３：カウント部
【図１】
2012015912.tif 000003
【図２】
2012015912.tif 000004
【図３】
2012015912.tif 000005
【図４】
2012015912.tif 000006
【図５】
2012015912.tif 000007